(57)【特許請求の範囲】
【請求項１】
底部と、長側壁と、ヒンジ連結された上部短側壁部と下部短側壁部とからなる短側壁とを有し、底部に略面一状態で重ねられている上部短側壁部と下部短側壁部の上に重ねられている長側壁を、略垂直状態に立て、次いで、拡開状態のままの上部短側壁部と下部短側壁部とを垂直方向に回動させて、略垂直に立てられた長側壁の内壁面の両端部付近で、上下方向に所定の間隔をおいて突設された嵌合片に穿設された透孔に、下部短側壁部の両側の垂直縁付近に形成された嵌合突片を挿入するようにして、拡開状態のままの上部短側壁部と下部短側壁部とを略垂直に立て、その後、上部短側壁部を、ヒンジ部を中心に外側に回動させて、上部短側壁部の両端部付近に突設された係止突片を、下部短側壁部に形成された横長の嵌合孔に嵌入して、折り畳みコンテナーを箱型に組み立てるように構成されている折り畳みコンテナーにおいて、底部に形成されている短辺側垂直枠の底板の上面からの高さが、長側壁の内壁面に突設されている嵌合片の前記内壁面からの高さより高く構成されていることを特徴とする折り畳みコンテナー。
【発明の詳細な説明】
【０００１】
【発明の属する技術分野】
本発明は、底部を囲むように配設された側壁が、底部に重なるように折り畳むことができる折り畳みコンテナーに関するものである。
【０００２】
【従来の技術】
本出願人は、先の出願である特願２００１−８４４３等において、図４〜図７に示されているように、底部１と、長側壁２と、ヒンジ連結された上部短側壁部３ａと下部短側壁部３ｂとからなる短側壁３とから構成された折り畳みコンテナーを提案した。そして、図４に示されている折り畳まれた状態の折り畳みコンテナーを、箱型に組み立てるには、先ず最初に、図５に示されているように、底部１に略面一状態で重ねられている上部短側壁部３ａと下部短側壁部３ｂの上に重ねられている長側壁２を、略垂直状態に立てる。次いで、拡開状態のままの上部短側壁部３ａと下部短側壁部３ｂとを垂直方向に回動させて、略垂直に立てられた長側壁２の内壁面２ａの両端部付近で、上下方向に所定の間隔をおいて突設された嵌合片２ｂに穿設された透孔２ｂ１に、下部短側壁部３ｂの両側の垂直縁付近に形成された嵌合突片３ｂ１を挿入するようにして、図６に示されているように、拡開状態のままの上部短側壁部３ａと下部短側壁部３ｂとを略垂直に立てる。その後、上部短側壁部３ａを、ヒンジ部を中心に外側に回動させて、上部短側壁部３ａの両端部付近に突設された係止突片３ａ１を、下部短側壁部３ｂに形成された横長の嵌合孔３ｂ２に嵌入して、図７に示されているように、折り畳みコンテナーを箱型に組み立てるように構成されている。
【０００３】
図７に示されている箱型に組み立てられた状態の折り畳みコンテナーを、図４に示されているように折り畳むには、先ず最初に、ヒンジ部を中心に、下部短側壁部３ｂに重ねられている上部短側壁部３ａを回動させて、上部短側壁部３ａの係止突片３ａ１を、下部短側壁部３ｂの嵌合孔３ｂ２から排出させる。次いで、図６に示されているように、拡開状態の上部短側壁部３ａと下部短側壁部３ｂとを、底部１方向に回動させて、図５に示されているように、底部１に重ねる。この上部短側壁部３ａと下部短側壁部３ｂの底部１方向への回動開始と略同時に、長側壁２の内壁面２ａに形成されている嵌合片２ｂに穿設された透孔２ｂ１から、下部短側壁部３ｂに形成された嵌合突片３ｂ１が抜け出ることになる。次いで、長側壁２を底部１方向に回動させて、底部１に、拡開状態で重ねられている上部短側壁部３ａと下部短側壁部３ｂの上に、長側壁２を重ねることにより、図４に示されているように、折り畳むように構成されている。そして、折り畳まれた状態においては、長側壁２の内壁面２ａに、内壁面２ａに対して略垂直に突設されている、透孔２ｂ１が穿設されている嵌合片２ｂは、短側壁３を構成する下部短側壁部３ｂの下部水平フランジ３ｂ３と、底部１の底板１ａの短辺に沿って短辺側垂直枠１ｂとの間に形成された所定の間隙にＷ１に挿入されるように構成されている。
【０００４】
【発明が解決しようとする課題】
上述したように、従来の折り畳みコンテナーが折り畳まれた状態においては、長側壁２の内壁面２ａに突設されている嵌合片２ｂは、短側壁３を構成する下部短側壁部３ｂの下部水平フランジ３ｂ３と、底部１の底板１ａの短辺に沿って形成された短辺側垂直枠１ｂとの間に形成された所定の間隙にＷ１に挿入されるように構成されているが、短側壁３を構成する下部短側壁部３ｂの下部水平フランジ３ｂ３と底部１の短辺側垂直枠１ｂとの間に形成された間隙Ｗ１に挿入された嵌合片２ｂが、底部１の底板１ａに当接し、しかも、長側壁２の内壁面２ａと底部１の短辺側垂直枠１ｂの上端１ｂ１との間に、間隙が形成されている。即ち、底部１に形成されている短辺側垂直枠１ｂの、底板１ａの上面１ａ１から短辺側垂直枠１ｂの上端１ｂ１までの高さは、長側壁２の内壁面２ａに突設されている嵌合片２ｂの高さ（長側壁２の内壁面２ａから嵌合片２ｂの上端２ｂ２までの距離）より低く構成されている。従って、折り畳まれた状態の折り畳みコンテナーを、多数、段積みした際には、短側壁３を構成する下部短側壁部３ｂの下部水平フランジ３ｂ３と底部１の短辺側垂直枠１ｂとの間に形成された間隙Ｗ１に挿入され、底部１の底板１ａに当接している嵌合片２ｂに負荷がかかり、嵌合片２ｂが損傷するという問題があった。
【０００５】
本発明の目的は、上述した従来の折り畳みコンテナーが有する課題を解決することにある。
【０００６】
【課題を解決するための手段】
本発明は、上述した目的を達成するために、底部と、長側壁と、ヒンジ連結された上部短側壁部と下部短側壁部とからなる短側壁とを有し、底部に略面一状態で重ねられている上部短側壁部と下部短側壁部の上に重ねられている長側壁を、略垂直状態に立て、次いで、拡開状態のままの上部短側壁部と下部短側壁部とを垂直方向に回動させて、略垂直に立てられた長側壁の内壁面の両端部付近で、上下方向に所定の間隔をおいて突設された嵌合片に穿設された透孔に、下部短側壁部の両側の垂直縁付近に形成された嵌合突片を挿入するようにして、拡開状態のままの上部短側壁部と下部短側壁部とを略垂直に立て、その後、上部短側壁部を、ヒンジ部を中心に外側に回動させて、上部短側壁部の両端部付近に突設された係止突片を、下部短側壁部に形成された横長の嵌合孔に嵌入して、折り畳みコンテナーを箱型に組み立てるように構成されている折り畳みコンテナーにおいて、底部に形成されている短辺側垂直枠の底板の上面からの高さを、長側壁の内壁面に突設されている嵌合片の前記内壁面からの高さより高く構成したものである。
【０００７】
【実施例】
以下に、本発明の実施例について説明するが、本発明の趣旨を越えない限り何ら、本実施例に限定されるものでない。
【０００８】
以下に、主として、図１〜図３を用いて、本発明の実施例について説明するが、図４〜図７に示されている先の出願に係る発明の構成は同じであるので、同じ構成部材については、同じ符号を使用するとともに、その詳細な説明は省略する。
【０００９】
本実施例においては、底部１に形成されている短辺側垂直枠１ｂの、底板１ａの上面１ａ１から短辺側垂直枠１ｂの上端１ｂ１までの高さＨ１が、長側壁２の内壁面２ａに突設されている嵌合片２ｂの高さ（長側壁２の内壁面２ａから嵌合片２ｂの上端２ｂ２までの距離）Ｈ２より高く構成されている。
【００１０】
そして、上述したように、図７に示されている箱型に組み立てられた状態の折り畳みコンテナーを、図４に示されているように折り畳むには、先ず最初に、ヒンジ部を中心に、下部短側壁部３ｂに重ねられている上部短側壁部３ａを回動させて、上部短側壁部３ａの係止突片３ａ１を、下部短側壁部３ｂの嵌合孔３ｂ２から排出させ、上部短側壁部３ａを回動させ、次いで、図６に示されているように、拡開状態の上部短側壁部３ａと下部短側壁部３ｂとを、底部１方向に回動させて、図５に示されているように、底部１に重ねた後、長側壁２を底部１方向に回動させて、底部１に、拡開状態で重ねられている上部短側壁部３ａと下部短側壁部３ｂの上に、長側壁２を重ねることにより、図４に示されているように、折り畳むように構成されている。
【００１１】
そして、折り畳まれた状態においては、長側壁２の内壁面２ａに、内壁面２ａに対して略垂直に突設されている、透孔２ｂ１が穿設されている嵌合片２ｂは、短側壁３を構成する下部短側壁部３ｂの下部水平フランジ３ｂ３と、底部１の底板１ａの短辺に沿って形成された短辺側垂直枠１ｂとの間に形成された所定の間隙にＷ１に挿入されるように構成されている。
【００１２】
ところで、本実施例においては、上述したように、底部１に形成されている短辺側垂直枠１ｂの、底板１ａの上面１ａ１から短辺側垂直枠１ｂの上端１ｂ１までの高さＨ１が、長側壁２の内壁面２ａに突設されている嵌合片２ｂの高さＨ２より高く構成されているので、折り畳まれた状態においては、嵌合片２ｂより外側（長側壁２の垂直端２ｃ側）に位置する長側壁２の内壁面２ａは、底部１に形成されている短辺側垂直枠１ｂの上端１ｂ１に載置され、この嵌合片２ｂより外側に位置する長側壁２の内壁面２ａが、底部１に形成されている短辺側垂直枠１ｂの上端１ｂ１に載置された状態においては、長側壁２の内壁面２ａに突設された嵌合片２ｂの上端２ｂ２（折り畳まれた状態においては、下端に位置することになる。）が、短側壁３を構成する下部短側壁部３ｂの下部水平フランジ３ｂ３と、底部１の短辺側垂直枠１ｂとの間に形成された間隙にＷ１内に位置する底板１ａに当接するようなことはなく、嵌合片２ｂの上端２ｂ２と底部１の底板１ａの上面１ａ１との間には、所定の間隙Ｗ２が形成されることになる。従って、折り畳まれた状態の折り畳みコンテナーを、多数、段積みした際に、短側壁３を構成する下部短側壁部３ｂの下部水平フランジ３ｂ３と底部１の短辺側垂直枠１ｂとの間に形成された間隙Ｗ１に挿入された、長側壁２の内壁面２ａに突設された嵌合片２ｂに負荷がかかるようなことはなく、嵌合片２ｂが損傷するようなことを防止することができる。なお、長側壁２の内壁面２ａは、上部短側壁部３ａ及び下部短側壁部３ｂに形成された下部水平フランジ３ｂ３や他のリブ等にも載置され、より安定した段積みが可能になる。
【００１３】
また、長側壁２の内壁面２ａに突設された嵌合片２ｂは、短側壁３を構成する下部短側壁部３ｂの下部水平フランジ３ｂ３と、底部１の短辺側垂直枠１ｂとの間に形成された間隙にＷ１内に挿入され、底部１の短辺側垂直枠１ｂにより保護されているので、嵌合片２ｂが、他の物体にぶつかって、損傷するようなことを防止することができる。
【００１４】
【発明の効果】
本発明は、以上説明した構成を有しているので、以下に記載する効果を奏するものである。
【００１５】
底部に形成されている短辺側垂直枠の底板の上面からの高さを、長側壁の内壁面に突設されている嵌合片の前記内壁面からの高さより高くしたので、折り畳まれた状態の折り畳みコンテナーを、多数、段積みした際に、短側壁を構成する下部短側壁部の下部水平フランジと底部の短辺側垂直枠との間に形成された間隙に挿入された嵌合片に負荷がかかるようなことはなく、従って、嵌合片が損傷するようなことを防止することができる。
【図面の簡単な説明】
【図１】図１は本発明の折り畳みコンテナーの部分拡大斜視図である。
【図２】図２は本発明の折り畳みコンテナーの折り畳み途中の正面図である。
【図３】図３は本発明の折り畳みコンテナーが折り畳まれた状態の正面図である。
【図４】図４は先の出願の折り畳みコンテナーの折り畳まれた状態の斜視図である。
【図５】図５は先の出願の折り畳みコンテナーの折り畳み途中の斜視図である。
【図６】図６は同じく先の出願の折り畳みコンテナーの折り畳み途中の斜視図である。
【図７】図７は先の出願の折り畳みコンテナーの箱型に組み立てられた状態の斜視図である。
【符号の説明】
１・・・・・・・・・・・底部
２・・・・・・・・・・・長側壁
２ｂ・・・・・・・・・・嵌合片
３・・・・・・・・・・・短側壁
３ａ・・・・・・・・・・上部短側壁部
３ｂ・・・・・・・・・・下部短側壁部
【図１】
0003762713.tif 000002
【図２】
0003762713.tif 000003
【図３】
0003762713.tif 000004
【図４】
0003762713.tif 000005
【図５】
0003762713.tif 000006
【図６】
0003762713.tif 000007
【図７】
0003762713.tif 000008